(57)【要約】【課題】手間をかけずにヘルプ機能を活用することができるタッチパネル式の操作表示装置を提供する。【解決手段】各種操作に対応した複数の機能キーが表示された表示部９の表面がタッチパネル７で構成され、前記複数の機能キーの内、少なくとも一つがヘルプキー７１であるタッチパネル式の操作表示装置において、前記ヘルプキー７１を押下した状態で、前記複数の機能キーの内、第一機能キー７３ａを押下すると、該第一機能キー７３ａのヘルプ画面が表示可能に構成されている。【選択図】図７
2008073917.tif 000002
【特許請求の範囲】
【請求項１】
各種操作に対応した複数の機能キーが表示された表示部の表面がタッチパネルで構成され、前記複数の機能キーの内、少なくとも一つがヘルプキーであるタッチパネル式の操作表示装置において、
前記ヘルプキーを押下した状態で、前記複数の機能キーの内、第一機能キーを押下すると、該第一機能キーのヘルプ画面が表示可能に構成されていることを特徴とするタッチパネル式の操作表示装置。
【請求項２】
前記ヘルプキーを押下した状態で前記第一機能キーを押下すると、前記ヘルプキーの基準座標と前記第一機能キーの基準座標とを結ぶ線分の中間点を押下したものと認識可能に構成されていることを特徴とする請求項１に記載のタッチパネル式の操作表示装置。
【請求項３】
前記タッチパネルは、押下した位置により出力電圧値が異なり、該出力電圧値を検出することで、押下した前記機能キーを判別可能に構成されており、
前記出力電圧値が得られる到達時間により、前記ヘルプキーを押下した状態で前記第一機能キーを押下する場合と、前記中間点を直接押下する場合とを、判別可能に構成されていることを特徴とする請求項１または２に記載のタッチパネル式の操作表示装置。
【発明の詳細な説明】
【技術分野】
【０００１】
本発明は、タッチパネル式の操作表示装置に関するものである。
【背景技術】
【０００２】
近年、複写機、複合機、デジタルビデオカメラ及びデジタルカメラなど様々な機器において、タッチパネル機能を有する操作表示装置が搭載されている。各機器の機能が多様化、複雑化していく中で、それぞれの機能を詳細に説明するヘルプ画面を操作表示装置に表示可能に構成されているものが知られている。（例えば、特許文献１参照）。
【特許文献１】特開２００３−１２５１３２号公報
【発明の開示】
【発明が解決しようとする課題】
【０００３】
ところで、上述の特許文献１の操作表示装置においては、ヘルプキーを一度押下すると、ヘルプメニュー画面に切り替わり、その中から内容を確認したい機能のキーを押下すると、その機能のヘルプ画面が表示されるものであり、手間がかかるものであった。
【０００４】
そこで、本発明は、上記の事情を鑑みてなされたものであり、手間をかけずにヘルプ機能を活用することができるタッチパネル式の操作表示装置を提供することを目的とする。
【課題を解決するための手段】
【０００５】
上記の課題を解決するために、請求項１に記載した発明は、各種操作に対応した複数の機能キーが表示された表示部の表面がタッチパネルで構成され、前記複数の機能キーの内、少なくとも一つがヘルプキーであるタッチパネル式の操作表示装置において、前記ヘルプキーを押下した状態で、前記複数の機能キーの内、第一機能キーを押下すると、該第一機能キーのヘルプ画面が表示可能に構成されていることを特徴とする。
このように構成することで、ヘルプメニュー画面を表示することなく、直接第一機能キーのヘルプ画面を表示することができる。
【０００６】
請求項２に記載した発明は、前記ヘルプキーを押下した状態で前記第一機能キーを押下すると、前記ヘルプキーの基準座標と前記第一機能キーの基準座標とを結ぶ線分の中間点を押下したものと認識可能に構成されていることを特徴とする。
このように構成することで、第一機能キーのヘルプ画面を確実に表示することができる。
【０００７】
請求項３に記載した発明は、前記タッチパネルは、押下した位置により出力電圧値が異なり、該出力電圧値を検出することで、押下した前記機能キーを判別可能に構成されており、前記出力電圧値が得られる到達時間により、前記ヘルプキーを押下した状態で前記第一機能キーを押下する場合と、前記中間点を直接押下する場合とを、判別可能に構成されていることを特徴とする。
このように構成することで、確実に間違うことなく第一機能キーのヘルプ画面を表示することができる。
【発明の効果】
【０００８】
請求項１に記載した発明によれば、ヘルプメニュー画面を表示することなく、直接第一機能キーのヘルプ画面を表示することができるため、手間をかけずにヘルプ機能を活用することができる効果がある。
【０００９】
請求項２に記載した発明によれば、第一機能キーのヘルプ画面を確実に表示することができるため、効率よくヘルプ機能を活用することができる効果がある。
【００１０】
請求項３に記載した発明によれば、確実に間違うことなく第一機能キーのヘルプ画面を表示することができるため、手間をかけずにヘルプ機能を活用することができる効果がある。
【発明を実施するための最良の形態】
【００１１】
次に、本発明の実施形態を図１〜図８に基づいて説明する。なお、本実施形態においては、タッチパネル式の操作表示装置を複写機に搭載した場合の説明である。
図１及び図２に示すように、複写機１は、画像記憶部２１、画像処理部２３、印刷部２５及び制御部２７等を備えた複写機本体３が下部に形成されている。複写機本体３の上部手前側に複写機１の各種操作を実行するための操作部５と、タッチパネル７が表面に配置された表示部９とが備えられた操作表示装置１１が構成され、複写機本体３の上部で操作表示装置１１以外の部分には、原稿画像を自動的に給紙するための自動原稿送り装置（ＡＤＦ）１３ａと、原稿画像を読み取るためのスキャナ部１３ｂとを備えた画像読取部１３が構成されている。
【００１２】
図３に示すように、操作表示装置１１は、操作部５と表示部９とから構成されている。操作部５は、使用者による各種の操作指示を受け付け、当該操作指示内容を制御部２７に出力する複数のボタン１５で構成されたものである。ボタン１５は、複写動作を起動するスタートキー１５ａ、コピー枚数等を設定するテンキー１５ｂ、初期設定画面を起動等する複数のファンクションキー１５ｃ等から構成されている。
【００１３】
表示部９には、透明電極で構成されているタッチパネル７が表面に配置されている。表示部９は、カラー又はモノクロ液晶ディスプレイ（ＬＣＤ）で構成されており、制御部２７から入力された表示指示に基づいて各種画像、文字、図形等で各種情報を表示するとともに、使用者が表示部９に表示された機能キーに触れることによってタッチパネル７が機能し、入力された操作指示を制御部２７に出力する。    
【００１４】
図２に戻り、画像読取部１３は、自動原稿送り装置（ＡＤＦ）１３ａとスキャナ部１３ｂとを備えている。このような画像読取部１３は、制御部２７による制御の下に、自動原稿送り装置１３ａから供給された原稿がガラス面上に送られ、複写機本体３に内蔵されたスキャナ部１３ｂにて原稿の画像を順次読み取り、原稿画像の色彩を示すカラー画像データを画像記憶部２１に出力する。
【００１５】
画像記憶部２１は、ハードディスク等の外部記憶装置或いは／及び半導体メモリから構成されており、画像読取部１３から入力された原稿画像のカラー画像データを記憶する。この画像記憶部２１は、制御部２７による制御の下に、読み取られた原稿画像のカラー画像データの書き込みを行うと共に、当該カラー画像データを読み出して画像処理部２３に出力する。
【００１６】
画像処理部２３は、制御部２７による制御の下に、画像記憶部２１から入力されたカラー画像データを印刷用のデータに画像変換して印刷部２５に出力する。
【００１７】
印刷部２５は、制御部２７による制御の下に、印刷紙を搬送しつつ当該印刷紙にトナーを付着させることにより、上記カラー画像データに基づいて原稿画像を印刷紙上に出力する印刷手段である。
【００１８】
制御部２７は、操作部５或いは表示部９のタッチパネル７から入力される操作指示、内部メモリに記憶された制御プログラム及び各種制御用データ等に基づいて、複写機１の全体動作を制御するものである。即ち、制御部２７は、上記操作指示、制御プログラム及び各種制御用データ等に基づいて制御演算を行うＣＰＵ（Central Processing Unit）及び他の各部（つまり操作部５、表示部９、画像読取部１３、画像記憶部２１、画像処理部２３、及び印刷部２５）とのデータ授受を行う各種入出力インタフェース回線等から構成されており、上記他の各部を統括的に制御することによって、画像読取部１３が読み取った原稿画像を印刷部２５より印刷することが可能となる。
【００１９】
次に、操作表示装置１１と制御部２７との間の構成について説明する。
図４に示すように、制御部２７には、所定のプログラムに基づいて表示部９の表示方法を制御する表示制御ＣＰＵ４５と、所定のプログラムが格納されるＲＯＭ４７と、各種データなどが一時的に保管されワーキングエリアとして機能するＲＡＭ４９が備えられている。
表示制御ＣＰＵ４５、ＲＯＭ４７、及びＲＡＭ４９から得られたデータや操作信号は、液晶表示画面を構成する表示部９への表示データを展開するＶＲＡＭ５１、及び入出力ポート６３と通信可能に構成されている。
【００２０】
また、ＶＲＡＭ５１には、表示データに基づいて表示部９を駆動する液晶ドライバ５３が通信可能に構成され、液晶ドライバ５３により操作表示装置１１の表示部９に必要な画像が表示されるように構成されている。
更に、タッチパネル７は、使用者が押圧したタッチパネル７の位置を検出する位置検出部５５と通信可能に構成されている。タッチパネル７上のある一点を押下すると、タッチパネルに設けられた抵抗により、縦方向および横方向の座標を位置検出部５５にて検出可能に構成されている。また、本実施形態では、タッチパネル７の複数の箇所を同時に押圧した場合には、それぞれの位置を結ぶ線分の中間点を押圧したものと認識するようになっている。
【００２１】
また、スタートキー１５ａ、テンキー１５ｂ又はファンクションキー１５ｃ等の各種ボタン１５の背面に配置されたバックライトやＬＥＤ等で構成される個別表示素子５７に対して出力可能に構成されたドライバ回路５９と、スタートキー１５ａ、テンキー１５ｂ又はファンクションキー１５ｃ等の各種ボタン１５からの操作信号が入力されるバッファ回路６１とが構成されている。
【００２２】
入出力ポート６３は、位置検出部５５及びバッファ回路６１からの信号を入力可能に構成され、ドライバ回路５９へ信号を出力可能に構成されており、更に、表示制御ＣＰＵ４５と入出力可能に構成されている。
【００２３】
表示画面は、表示部９とタッチパネル７とを備えて構成される。タッチパネル７が押圧されると、位置検出部５５で検出された位置情報が入出力ポート６３を介して表示制御ＣＰＵ４５に入力され、表示制御ＣＰＵ４５によりＶＲＡＭ５１に展開されている表示データに基づいてどの機能キー２９が選択されたかが判断される。液晶ドライバ５３はＶＲＡＭ５１に展開された表示データに基づいて表示部９を駆動する。これらの動作により、表示画面に機能キー２９の入力があるとプログラムに基づいて表示画面の表示が更新制御されるように構成されている。
【００２４】
図５に示すように、表示部９はその上面にタッチパネル７が備えられており、種々の機能キーが画面に表示され、タッチパネル７が機能することにより種々の操作・設定などが実行可能に構成されている。本実施形態において、表示部９の右下の隅部近傍にヘルプキー７１が配されている。また、各種機能の親機能キー７３が必要箇所に配されており、親機能の詳細な設定をするための子機能キー７７が複数配されている。ここで、親機能キー７３は、例えば、基本ページでは、用紙設定（トレイ選択）、濃度設定、拡大・縮尺の倍率設定およびソートなどの仕上設定などのキーで構成されている。子機能キー７７は、例えば用紙設定では、自動トレイ選択、特定のトレイ選択などを行うためのキーで構成され、倍率設定では、自動倍率、等倍（１００％）、縮小／拡大などを行うためのキーで構成されている。子機能キー７７を押下することで、印刷の詳細設定が可能になっている。
更に、基本ページ、ユーザー機能、機能リストおよびプログラムなどが備えられたページキー７５が表示部９の下端近傍に配されている。ページキー７５を押下することでページが切り替わるように構成されている。
また、本実施形態においては、ある一つの機能キーを押下した場合に、その機能キーの表示領域内のどの位置を押下しても、その機能キーの左上隅を押下したと判断し、その左上隅の座標を基準座標と認識するように構成されている。更に、上述の各機能キーの配置については、本実施形態において一例を示したものであり、特に配置には拘らないことは言うまでもない。
【００２５】
次に、作用について説明する。
複写機１は、電源がＯＮされており、スタンバイ状態である。この状態で複写をする場合は、複写をする原稿を画像読取部１３のＡＤＦ１３ａにセットし、表示部９のタッチパネル７や操作部５のテンキー１５ｂなどで用紙サイズ、複写枚数、濃度、倍率などを設定し、スタートボタン１５ａを押すことで複写が開始される。
【００２６】
複写が開始されると、原稿はＡＤＦ１３ａからスキャナ部１３ｂへと搬送され、スキャナ部１３ｂにおいて原稿が読み取られる。読み取られた原稿の画像データは複写機本体３の内部に設けられた画像記憶部２１から画像処理部２３へと送られた後、印刷部２５へデータが送られ、複写機本体３に内蔵されたトナーにより印刷紙へ印字され、印刷物として排出される。
【００２７】
ここで、複写機１のヘルプ機能を使用する際の手順を説明する。
図６（ａ）に示すように、第一ステップとして表示部９に配されたヘルプキー７１を指で押下する。
次に、図６（ｂ）に示すように、第二ステップとしてヘルプキー７１を押下した状態で、ヘルプ画面を表示させたい親機能キー７３のうちの一つ、例えば、本実施形態においては濃度キー７３ａを押下する。
図６（ｃ）に示すように、第三ステップとしてヘルプキー７１と濃度キー７３ａとが同時に押下されると、押下した濃度キー７３ａのヘルプ画面８１が表示部９に表示される。
【００２８】
次に、ヘルプ画面８１が表示されるまでの処理方法について説明する。
図７、図８に示すように、表示部９のタッチパネル７が押下されていない場合の出力電圧値は０（Ｖ）である。そして、第一ステップにてヘルプキー７１が押下されると、ヘルプキー７１の左上隅に形成された基準点８３が押下されたと認識し、タッチパネル７が反応して出力電圧値が０から上昇し、出力電圧値Ｖ１が得られる。
次に、第二ステップにて濃度キー７３ａが押下されると、濃度キー７３ａの左上隅に形成された基準点８５が押下されたと認識する。ヘルプキー７１と濃度キー７３ａとが同時に二箇所押下されている状態では、タッチパネル７は基準点８３と基準点８５とを結んだ線分の中間点８７を押下したものと認識し、出力電圧値Ｖ２が得られる。
第三ステップにおいて、ヘルプキー７１が押下された状態で、中間点８７を押下したものと認識された場合に、濃度キー７３ａのヘルプ画面８１が表示部９に表示される。
【００２９】
ここで、ヘルプキー７１を押しながら濃度キー７３ａを押下した場合と、直接中間点８７のみを押下した場合と区別する手段を説明する。
本実施形態において、中間点８７に対応する位置には、自動倍率キー７７ａが配されている。したがって、直接自動倍率キー７７ａを押下した場合にも出力電圧値Ｖ２が得られる。
図８のグラフ（Ａ）は、ヘルプキー７１を押下した状態で濃度キー７３ａを押下した場合、グラフ（Ｂ）は直接自動倍率キー７７ａを押下した場合の、それぞれの出力電圧値と時間との関係を示したものである。また、図８は縦軸に出力電圧値、横軸に時間として表したものである。
グラフ（Ａ）は、まず初めにヘルプキー７１を押下するとある一定の反応速度で出力電圧値Ｖ１が得られる。ヘルプキー７１を押下したままの状態では、出力電圧値はＶ１のまま保持される。その後、ヘルプキー７１を押下した状態で、濃度キー７３ａを押下すると、ある一定の反応速度で出力電圧値がＶ１からＶ２に変化する。出力電圧値がＶ１からＶ２に変化する際の到達時間は、（ｔ２−ｔ１）となる。
【００３０】
次に、グラフ（Ｂ）は、中間点８７に対応する自動倍率キー７７ａを直接押下すると、ある一定の反応速度で出力電圧値Ｖ２が得られる。出力電圧値が０からＶ２に変化する際の到達時間は、（ｔ３−ｔ１）となる。
【００３１】
グラフ（Ａ）、（Ｂ）を比較すると、出力電圧値Ｖ２に到達する時間が、グラフ（Ａ）では（ｔ２−ｔ１）であり、グラフ（Ｂ）では（ｔ３−ｔ１）となり、到達時間が異なる。本実施形態では、制御部２７に内蔵されたソフトにより、マイクロセックオーダーで出力電圧値をサンプリングできるようにしているため、上述の到達時間の差を検出し、ヘルプキー７１を押下した状態で濃度キー７３ａを押下した場合か、直接自動倍率キー７７ａを押下した場合かを区別することができる。
【００３２】
本実施形態において、ヘルプキー７１を押下した状態で、ヘルプキー７１の表示色を変化させたり、色を反転させることや、表示部９全体の色を反転させるなどして、ヘルプキー７１を押下している状況を使用者に認識しやすくするようにしてもよい。
【００３３】
したがって、本実施形態では、ヘルプキー７１を押下した状態で、親機能キー７３を押下すると、その親機能キー７３のヘルプ画面を直接表示するようにしたため、ヘルプメニュー画面を表示することなく、効率よく、手間をかけずにヘルプ機能を活用することができる。また、タッチパネルの特性を利用し、出力電圧値が得られるまでの到達時間を検出することで、ヘルプキーを押下した状態で親機能キーを押下したか、直接ヘルプキーと親機能キーとの中間点を押下したか、を区別するようにしたため、確実に間違うことなく親機能キーのヘルプ画面を表示することができる。
【００３４】
尚、本発明は上述した実施の形態に限られるものではなく、例えば以下のような態様も採用可能である。
本実施形態において、ヘルプキーを押下した状態で親機能キーを押下すると、その親機能キーのヘルプ画面が表示される場合の説明をしたが、ヘルプキーと子機能キー若しくはページキーとを同時に押下した場合にその機能に対応したヘルプ画面を表示するように構成してもよい。
本実施形態において、座標を検出するための基準点を各キーの左上隅に割り当てた説明をしたが、各キーの中央部を基準点としてもよいし、他の箇所を基準点としても構わない。また、基準点を特に定めず、直接押下している位置の座標を検出するようにしてもよい。
本実施形態において、本発明に係るタッチパネル式の操作表示装置を複写機に搭載した場合の説明をしたが、複合機やデジタルカメラなど同様の機能を有する機器に採用してもよい。
【図面の簡単な説明】
【００３５】
【図１】本発明の実施形態における複写機の概略斜視図である。
【図２】本発明の実施形態における複写機のブロック図である。
【図３】本発明の実施形態における操作表示装置の斜視図である。
【図４】本発明の実施形態における操作表示装置のブロック図である。
【図５】本発明の実施形態における表示部の平面図である。
【図６】本発明の実施形態におけるヘルプ機能を使用する場合の表示部の平面図であり、（ａ）は第一ステップ、（ｂ）は第二ステップ、（ｃ）は第三ステップである。
【図７】本発明の実施形態におけるヘルプ機能を使用する場合の表示部の座標を示す平面図である。
【図８】本発明の実施形態におけるタッチパネルの出力電圧と時間との関係を示すグラフであり、（Ａ）はヘルプキーを押下した後に親機能キーを押下した場合、（Ｂ）は直接中間点を押下した場合である。
【符号の説明】
【００３６】
７…タッチパネル  ９…表示部  １１…操作表示装置（タッチパネル式の操作表示装置）  ７１…ヘルプキー  ７３ａ…親機能キー（第一機能キー）  ８１…ヘルプ画面  ８３，８５…基準点（基準座標）  ８７…中間点  Ｖ１，Ｖ２…出力電圧値
【図１】
2008073917.tif 000003
【図２】
2008073917.tif 000004
【図３】
2008073917.tif 000005
【図４】
2008073917.tif 000006
【図５】
2008073917.tif 000007
【図６】
2008073917.tif 000008
【図７】
2008073917.tif 000009
【図８】
2008073917.tif 000010